(57)【要約】【課題】重量物である太陽電池パネル１を水平姿勢で収容できる発泡樹脂製の太陽電池パネル搬送用トレイ１０において、突然の衝撃荷重が生じた場合に、太陽電池パネル１の角部や周囲に損傷が生じるのを回避するとともに、収容する太陽電池パネル１が面内に凸部２を有する場合であっても、安定した姿勢でトレイ１０内に収容できるようにする。【解決手段】太陽電池パネル搬送用トレイ１０は、底板１１と４周の側壁１２とで太陽電池パネル１を水平姿勢で収容できる収容空間１３が形成される。収容空間１３の４隅と側壁立ち上がり面１５には、収容した太陽電池パネル１の周縁および底面が接触しない領域（第１の凹部１６と第２の凹部１７）が形成されている。さらに、底板１１には、収容した太陽電池パネル１に形成されている凸部２を収容するための貫通孔１４が形成されている。【選択図】図１
2011051609.tif 000002
【特許請求の範囲】
【請求項１】
底板と前記底板の４周に立設した側壁とで太陽電池パネルを水平姿勢で収容できる収容空間が形成されなる発泡樹脂製の太陽電池パネル搬送用トレイであって、
前記収容空間の４隅には、収容した太陽電池パネルの周縁および底面が接触しない領域が形成されており、さらに、前記底板には、収容した太陽電池パネルに形成されている凸部を収容するための貫通孔が形成されていることを特徴とする太陽電池パネル搬送用トレイ。
【請求項２】
請求項１に記載の太陽電池パネル搬送用トレイであって、前記収容空間の前記側壁に沿う部分の一部にも、収容した太陽電池パネルの周縁および底面が接触しない領域が形成されていることを特徴とする太陽電池パネル搬送用トレイ。
【請求項３】
請求項１または２に記載の太陽電池パネル搬送用トレイであって、前記側壁の上面外周側の全部または一部には凸条が形成されており、前記側壁の下面外周側の前記凸条に対応する部分には前記凸条が入り込む切り欠き部が形成されていることを特徴とする太陽電池パネル搬送用トレイ。
【請求項４】
請求項１〜３のいずれか一項に記載の太陽電池パネル搬送用トレイが少なくとも２段以上に段積みされ、最上位の太陽電池パネル搬送用トレイを除く他の太陽電池パネル搬送用トレイに形成された前記収容空間には太陽電池パネルが収容されてなることを特徴とする太陽電池パネル梱包体。
【請求項５】
請求項４に記載の太陽電池パネル梱包体と、該太陽電池パネル梱包体を包み込む外装材と、支持パレットとを少なくとも含むことを特徴とする太陽電池パネル梱包体。
【発明の詳細な説明】
【技術分野】
【０００１】
本発明は、太陽電池パネル搬送用トレイと太陽電池パネル梱包体にかかり、特に太陽電池パネルを水平姿勢で梱包して搬送するのに好適な太陽電池パネル搬送用トレイと太陽電池パネル梱包体に関する。
【背景技術】
【０００２】
近年、環境への関心が高まるとともに、光エネルギーを電気エネルギーに変換する太陽電池に対する需要が高まり、太陽電池セルモジュールに枠構造や端子箱を取り付けた太陽電池パネルが、広く流通するようになっている。その一方で、太陽電池パネルは、概して大型かつ重量物であり、搬送時の振動等によって損傷を受け易いことから、複数枚の太陽電池パネルを安全に搬送できるようにした太陽電池パネル搬送用トレイが求められている。一方、液晶ディスプレイなどの画像表示機器用のガラス基板は、薄肉で割れ易いものであってその大型化に伴って一層慎重な取り扱いが求められるようになり、そのようなガラス基板用の搬送用トレイとして、すでにいくつかの提案がされている。
【０００３】
例えば、特許文献１には、箱体の内部収容空間に、複数枚のガラス基板を各相互間に発泡樹脂シートを介装して水平姿勢で積層状に収容してなる単位梱包体を、外包囲体の内部に、上下に複数段に積み重ねて収容するようにしたガラス板梱包ユニットが記載されている。
【０００４】
特許文献２には、上面に、被搬送物であるガラス基板を収容して水平方向の位置決めを行う収容部を形成し、下面には、積み重ねられた下側の搬送トレイの収容部に挿入されて下側の搬送トレイに収容されたガラス基板の浮き上がりを規制する突部を形成した、枠状の搬送トレイが記載されている。
【０００５】
特許文献３には、ガラス基板を水平に収容するための複数の収容部がトレイの上面に形成されたポリオレフィン系樹脂発泡体からなるガラス基板搬送用トレイであって、トレイの収容部はガラス基板が収容される底面と底面を取り囲む側壁とを有し、底面における周縁には凹部を形成したガラス基板搬送用トレイが記載されている。
【先行技術文献】
【特許文献】
【０００６】
【特許文献１】特開２００５−７５３６６号公報
【特許文献２】特開平１０−１９７８５５号公報
【特許文献３】特開２００２−３５３３０２号公報
【発明の概要】
【発明が解決しようとする課題】
【０００７】
上記した形態のガラス基板用に搬送トレイを、太陽電池パネル搬送用トレイとしてそのまま用いることも可能であるが、いくつかの不都合を伴う。例えば、特許文献１に記載のように複数枚のガラス基板を水平姿勢で積層状に収容する形態のものにおいては、大型かつ重量物である太陽電池パネルを収容しようとすると、太陽電池パネル相互間の接触面積が大きくなり、太陽電池パネルの間に発泡樹脂シート等を介装したとしても、搬送時の振動や揺れによって、太陽電池パネルに傷が付きやすくなる。また、収容物が面内にコネクターのような凸部を有する場合に対する対処は、特に考慮されていない。
【０００８】
特許文献２に記載されるような枠状をなす搬送トレイは、搬送物の周辺部のみを搬送トレイによって支持する形態であり、収容物が面内に凸部を有する形態のものであってもそのまま収容することができる。しかし、中央部分を背面側から支持する部材を有しなので、大型かつ重量物である太陽電池パネルを収容した場合、支持が不安定になるのを避けられない。また、収容物の周囲全部が搬送トレイに形成した収容部の側壁に接する状態で収容されているので、衝撃荷重が生じた場合に、大型かつ重量物である太陽電池パネルの周辺に損傷が生じる恐れがある。
【０００９】
特許文献３に記載されるガラス基板搬送用トレイは、基本的に１つの収容部に１枚のガラス基板を収容し、それを多段に段積みして梱包体としており、収容物同士の接触は回避できる。また、収容部の底面周縁に凹部を形成することによって、収容物が振動したときにその周縁がトレイ本体と接触するのを防止している。しかし、トレイに収容された収容物は、上下面のみで支持される形態であり、搬送時の振動により水平方向に移動するのを完全には回避することができない。収容物が大型かつ重量物である太陽電池パネルの場合には、その移動が顕著となり、通常の搬送時においても、太陽電池パネルの周辺が収容部の側壁に対して不規則に接触を繰り返すようになり、太陽電池パネルの周辺に損傷が生じる恐れがある。また、収容物が面内にコネクターのような凸部を有する場合に対する対処は、特に考慮されていない。
【００１０】
本発明は、上記のような事情に鑑みてなされたものであり、重量物である太陽電池パネルを水平姿勢で収容できる太陽電池パネル搬送用トレイにおいて、トレイ内に収容した太陽電池パネルが不用意に移動しないように、箱体内にしっかりと位置決めできながら、突然の衝撃荷重が生じた場合に、周囲に損傷が生じるのを回避することができ、さらに、収容しようとする太陽電池パネルが面内に凸部を有する場合であっても、安定した姿勢でトレイ内に収容することができるようにした、太陽電池パネル搬送用トレイを開示することを第１の課題とする。また、前記太陽電池パネル搬送用トレイを用いた太陽電池パネル梱包体を開示することを第２の課題とする。
【課題を解決するための手段】
【００１１】
本発明による太陽電池パネル搬送用トレイは、底板と前記底板の４周に立設した側壁とで太陽電池パネルを水平姿勢で収容できる収容空間が形成されなる発泡樹脂製の太陽電池パネル搬送用トレイであって、前記収容空間の４隅には、収容した太陽電池パネルの周縁および底面が接触しない領域が形成されており、さらに、前記底板には、収容した太陽電池パネルに形成されている凸部を収容するための貫通孔が形成されていることを特徴とする。
【００１２】
上記の太陽電池パネル搬送用トレイでは、収容空間内に収容された太陽電池パネルの周縁は基本的に収容空間の側壁面で支持されており、搬送中、不用意に水平方向に移動することはない。また、太陽電池パネル搬送用トレイは発泡樹脂製であり、所要の緩衝性を有しており、振動によるわずかな移動は太陽電池パネル搬送用トレイによって吸収されるので、太陽電池パネルに傷が付くことはない。一方、収容空間の４隅には、収容した太陽電池パネルの周縁および底面が接触しない領域が形成されており、この領域によって、落下衝撃時等に太陽電池パネルの角部にかかる衝撃力は緩和されるので、衝撃荷重によって太陽電池パネルの角部が破損するのも防止できる。
【００１３】
さらに、トレイの底板には、収容する太陽電池パネルに形成される凸部を収容するための貫通孔が形成されているので、太陽電池パネルが面内に凸部を有する場合であっても、安定した姿勢でトレイ内に収容することができる。
【００１４】
本発明による太陽電池パネル搬送用トレイの一形態において、前記収容空間の前記側壁に沿う部分の一部にも、収容した太陽電池パネルの周縁および底面が接触しない領域が形成されている。この形態の太陽電池パネル搬送用トレイでは、落下衝撃時等に太陽電池パネルの側縁にかかる衝撃力も、前記領域において部分的に緩和することができるので、衝撃荷重によって太陽電池パネルの側縁に損傷が生じるのも、緩和することができる。
【００１５】
本発明による太陽電池パネル搬送用トレイの一形態において、前記側壁の上面外周側の全部または一部には凸条が形成されており、前記側壁の下面外周側の前記凸条に対応する部分には前記凸条が入り込む凸条に対応する形状の切り欠き部が形成されている。この形態では、太陽電池パネル搬送用トレイを段積みしたときに、前記凸条が前記切り欠き部に入り込むことで、横方向への位置ずれを阻止することができ、段積み姿勢が安定する。
【００１６】
本発明において、太陽電池パネル搬送用トレイは、所要の緩衝性と機械的強度を備えることを条件に任意の樹脂材料で作ることができる。好ましくは、熱可塑性樹脂の型内発泡成形品である。熱可塑性樹脂には、ポリスチレン系樹脂、ポリオレフィン系樹脂（例えば、ポリプロピレン系樹脂、ポリエチレン系樹脂等）、ポリエステル系樹脂（例えば、ポリエチレンテレフタレート、ポリブチレンテレフタレート、ポリエチレンナフタレート等）、ポリカーボネート系樹脂、ポリ乳酸系樹脂などが挙げられる。なかでも、ポリスチレンとポリエチレンとを含む複合樹脂を用いることが好ましい。発泡体の倍率は、梱包しようとする太陽電池パネルの重量等を勘案して適宜設定すればよいが、緩衝性がよく、軽量で経済的である点から、好ましくは３０〜６０倍程度である。
【００１７】
本発明による太陽電池パネル梱包体は、上記したいずれかの太陽電池パネル搬送用トレイが少なくとも２段以上に段積みされ、最上位の太陽電池パネル搬送用トレイを除く他の太陽電池パネル搬送用トレイに形成された前記収容空間には太陽電池パネルが収容されてなることを特徴とする。
【００１８】
上記の太陽電池パネル梱包体では、同じ形態の太陽電池パネル搬送用トレイの複数枚を用いて、複数枚の太陽電池パネルを１つの梱包体とすることができる。前記したように、各トレイ内において各太陽電池パネルは安定した状態で収容されており、梱包体の搬送時に、収容した太陽電池パネルが損傷したり、荷崩れが生じるのを回避することができる。なお、梱包体において、収容する太陽電池パネルが面内に凸部を有する場合は、１つの太陽電池パネル搬送用トレイに一枚の太陽電池パネルを収容する仕様となるが、凸部を有しない形態の太陽電池パネルを梱包する場合には、１つの太陽電池パネル搬送用トレイに一枚以上の太陽電池パネルを収容する仕様も可能である。
【００１９】
本発明による太陽電池パネル梱包体の他の形態では、上記した太陽電池パネル梱包体に加えて、該太陽電池パネル梱包体を包み込む外装材と、支持パレットとを少なくとも含むようにされる。この形態の太陽電池パネル梱包体は、外装材と支持パレットとを備えることにより一層安定した梱包体となるので、物流時の搬送は容易となる。外装材は適宜の材料で作ることができるが、製造の容易性と軽量性から、段ボール製の外装材は好ましい。パレットも従来知られたものであってよく、金属製、樹脂製、木材製などであってよい。
【発明の効果】
【００２０】
本発明による太陽電池パネル搬送用トレイを用いることにより、面内に凸部を有する太陽電池パネルであっても、それを水平姿勢で安定して収容することができる。また、落下荷重のような突然の衝撃荷重が生じた場合に、収容した太陽電池パネルの角部または周囲に損傷が生じるのを回避することができる。従って、上記した太陽電池パネル搬送用トレイの複数枚を用いて太陽電池パネル梱包体とすることにより、複数枚の太陽電池パネルを安全に姿勢で物流に供することができる。
【図面の簡単な説明】
【００２１】
【図１】本発明による太陽電池パネル搬送用トレイの一形態を示す斜視図。
【図２】図２（ａ）は図１のＩＩ−ＩＩ線に沿う断面図、図２（ｂ）は要部の拡大図。
【図３】収容物である太陽電池パネルの一例を模式的に示す図。
【図４】図１に示す太陽電池パネル搬送用トレイに図３に示す太陽電池パネルを収容した状態を示す平面図。
【図５】図５（ａ）は本発明による太陽電池パネル梱包体の一例を示す断面図、図５（ｂ）は要部の拡大図。
【発明を実施するための形態】
【００２２】
以下、本発明による太陽電池パネル搬送用トレイおよび太陽電池パネル梱包材を実施の形態に基づき説明する。なお、本発明において、搬送の対象物である太陽電池パネル１は、図３に示すように、全体形状は平面視で長方形であり、その面内の一部にコネクターとして機能する凸部２を有している。
【００２３】
図に示す、本発明による太陽電池パネル搬送用トレイ１０は、発泡樹脂製であり、熱可塑性樹脂の発泡性粒子を型内成形することによって成形されている。太陽電池パネル搬送用トレイ１０は、底板１１と、底板１１の４周に立設した４周の側壁１２を有し、底板１１と４周の側壁１２とにより、底板１１の上面に前記した太陽電池パネル１を水平姿勢で収容することのできる収容空間１３が形成されている。そして、底板１１の適所、すなわち、太陽電池パネル１を収容したときに、前記凸部２が位置することとなる部位に、貫通孔１４が形成されている。
【００２４】
太陽電池パネル搬送用トレイ１０において、前記４周の側壁１２の内面側の立ち上がり面１５の位置は、太陽電池パネル１を水平姿勢で収容したときに、その４周の側縁３が当接する位置とされている。そして、４つの角部には、所要の深さと大きさの第１の凹部１６がそれぞれ形成されている。また、４つの前記立ち上がり面１５にも、所要の深さと大きさの第２の凹部１７が、適数（図示の例では、各立ち上がり面１５に２個ずつ）形成されている。なお、第２の凹部１７は省略することもできる。
【００２５】
図４に、太陽電池パネル搬送用トレイ１０内に図３に示す太陽電池パネル１を収容した状態を平面図として示すように、また、図５（ｂ）に要部を拡大して示すように、収容空間１３内に収容された太陽電池パネル１は、側縁（周縁）３の一部は、太陽電池パネル搬送用トレイ１０の前記立ち上がり面１５によって支持されるが、その角部における側縁（周縁）と底面は、前記第１の凹所１６が存在することにより、収容時に太陽電池パネル搬送用トレイ１０と接触することはない。同様に、収容された太陽電池パネル１の側縁と底面の一部は、前記第２の凹所１７が存在することにより、やはり、収容時に太陽電池パネル搬送用トレイ１０と接触することはない。
【００２６】
また、太陽電池パネル搬送用トレイ１０において、前記各側壁１２の上面外周側には、適所に適数（図示の例では、各側壁１２に２個ずつ）の凸条１８が形成されており、さらに、各側壁１２の下面外周側であって、前記凸条１８に対応する部分には前記凸条１８が入り込む大きさの切り欠き部１９が形成されている。そして、前記切り欠き部１９の天井部には、所要深さの第２の切り欠き部２０が形成されている。
【００２７】
図５（ａ）は、太陽電池パネル搬送用トレイ１０内に太陽電池パネル１を収容したものを多段に積層し、それを例えば段ボールである外装材３０で包み込み、さらに支持パレット４０の上に載置した太陽電池パネル梱包体５０を示している。ただし、最上位の太陽電池パネル搬送用トレイ１０には、太陽電池パネル１は収容されていない。なお、図では省略しているが、実際の搬送においては、太陽電池パネル１は、その両面に適宜厚さの樹脂シートをラミネートした状態で、各太陽電池パネル搬送用トレイ１０内に収容される。
【００２８】
図示されるように、太陽電池パネル１は前記凸部２を上側にした姿勢で太陽電池パネル搬送用トレイ１０内に収容されており、該凸部２は、上位に段積みされた太陽電池パネル搬送用トレイ１０に成形された貫通孔１４内に入り込んでいる。そのために、面内に凸部２を有する太陽電池パネル１であっても、各太陽電池パネル搬送用トレイ１０内に水平姿勢で安定的に収容することができ、かつそれを容易に段積みすることができる。図示しないが、前記凸部２を下側にした姿勢で、太陽電池パネル搬送用トレイ１０内に収容することもできる。いずれの場合であっても、太陽電池パネル搬送用トレイ１０の底板１１の厚さは、太陽電池パネル１の前記凸部２を収容できるだけの厚さとされている。
【００２９】
さらに、図５（ｂ）に示すように、各太陽電池パネル搬送用トレイ１０を段積みした状態で、下位の太陽電池パネル搬送用トレイ１０ａに収容された太陽電池パネル１の上面側が、上位の太陽電池パネル搬送用トレイ１０ｂの底板１１の裏面に接して押さえられることができるように、前記底板１１の厚さおよび切り欠き部１９の深さが設定される。
【００３０】
太陽電池パネル梱包体５０において、各太陽電池パネル搬送用トレイ１０を段積みした状態では、下位に位置する太陽電池パネル搬送用トレイ１０ａに形成された前記凸条１８は、上位に位置する太陽電池パネル搬送用トレイ１０ｂに形成された前記切り欠き部１９内に嵌入した姿勢となっており、段積み姿勢は安定している。また、各切り欠き部１９は第２の切り欠き部２０を有しており、段積みしたときに第２の切り欠き部２０は空所として残るので、段積みされた太陽電池パネル搬送用トレイ１０を、１段ずつ取り出す作業も容易となる。
【００３１】
上記の太陽電池パネル梱包体５０において、前記のように、各太陽電池パネル搬送用トレイ１０の収容空間１３内に収容された太陽電池パネル１の周縁（４つの側縁３）は基本的に収容空間１３の側壁面（前記立ち上がり面１５）で支持されており、搬送中、不用意に水平方向に移動することはない。また、太陽電池パネル搬送用トレイ１０は発泡樹脂製であり、所要の緩衝性を有しており、振動によるわずかな移動は太陽電池パネル搬送用トレイ１０によって吸収されるので、太陽電池パネル１に傷が付くことはない。
【００３２】
一方、収容空間１３の４隅には、収容した太陽電池パネル１の角部における周縁および底面が接触しない領域、すなわち、前記した第１の凹所１６が形成されており、このために、落下衝撃時等に太陽電池パネル１の角部にかかる衝撃力は緩和される。それにより、衝撃荷重によって太陽電池パネル１の角部が破損するのは防止できる。
【００３３】
さらに、上記の太陽電池パネル搬送用トレイ１０では、前記収容空間１３の前記側壁（立ち上がり面１５）に沿う部分の一部にも、収容した太陽電池パネル１の側縁および底面の一部が接触しない領域、すなわち、前記した第２の凹所１７が形成されており、落下衝撃時等に太陽電池パネル１の側縁３にかかる衝撃力も、前記第２の凹所１７において部分的に緩和することができるので、衝撃荷重によって太陽電池パネル１の側縁３に損傷が生じるのも、緩和することができる。
【符号の説明】
【００３４】
１…太陽電池パネル、
２…太陽電池パネルの面内に存在する凸部、
３…太陽電池パネルの側縁（周縁）、
１０…太陽電池パネル搬送用トレイ、
１１…底板、
１２…４周の側壁、
１３…収容空間、
１４…貫通孔、
１５…４周の側壁の内面側の立ち上がり面、
１６…第１の凹部（収容空間の４隅に形成された、収容した太陽電池パネルの角部における周縁および底面が接触しない領域）、
１７…第２の凹部（収容空間の４つの側壁に形成された、収容した太陽電池パネルの周縁および底面が接触しない領域）、
１８…凸条、
１９…凸条が入り込む大きさの切り欠き部、
２０…切り欠き部に形成した第２の切り欠き部、
３０…外装材、
４０…支持パレット、
５０…太陽電池パネル梱包体。
【図１】
2011051609.tif 000003
【図２】
2011051609.tif 000004
【図３】
2011051609.tif 000005
【図４】
2011051609.tif 000006
【図５】
2011051609.tif 000007